(57)【要約】【課題】  既存の帳票印刷システムにおいては、帳票データの出力先が、プリンタやＦＡＸの場合にはセパレータが挿入されて欲しいが、必ずしも、セパレータが出力イメージとして挿入されて欲しいわけではない。【解決手段】  表紙、後表紙、仕切り紙などのセパレータが、フォームとしてオーバレイ可能な帳票印刷システムにおいて、セパレータを含む帳票データをプリンタ以外に出力する場合には、セパレータ部分のイメージの出力を抑止することで解決を図る。【選択図】  図９
2006171971.tif 000002
【特許請求の範囲】
【請求項１】
印刷装置、および、該印刷装置を管理する上位装置とをネットワーク上に有する帳票印刷システムであって、
前記上位装置は、フォームデータを記憶するフォームデータ記憶手段と、
前記フォームデータ記憶手段からセパレータに指定されたフォームデータを読み出してフォームオーバレイを行い帳票データを生成する帳票データ生成手段と、
前記帳票データを記憶する帳票データ記憶手段と、
前記帳票データを管理する帳票データ管理手段と、
前記帳票データから出力先に応じてセパレータの処理方法を変更する出力データ生成手段と、
前記出力データを出力先に送信する出力データ送信手段を備えることを特徴とする帳票印刷システム。
【請求項２】
前記出力データ生成手段は、出力先に応じてセパレータの出力データへの出力を制御することを特徴とする請求項１に記載の帳票印刷システム。
【請求項３】
前記出力データ生成手段は、出力先に応じてセパレータで区切られた出力データを生成することを特徴とする請求項１に記載の帳票印刷システム。
【請求項４】
印刷装置、および、該印刷装置を管理する上位装置とをネットワーク上に有する帳票印刷制御方法であって、
前記上位装置は、フォームデータを記憶するフォームデータ記憶ステップと、
前記フォームデータ記憶ステップで記憶したセパレータに指定されたフォームデータを読み出してフォームオーバレイを行い帳票データを生成する帳票データ生成ステップと、
前記帳票データを記憶する帳票データ記憶ステップと、
前記帳票データを管理する帳票データ管理ステップと、
前記帳票データから出力先に応じてセパレータの処理方法を変更する出力データ生成ステップと、
前記出力データを出力先に送信する出力データ送信ステップを有することを特徴とする帳票印刷制御方法。
【請求項５】
前記出力データ生成ステップは、出力先に応じてセパレータの出力データへの出力を制御することを特徴とする請求項４に記載の帳票印刷制御方法。
【請求項６】
前記出力データ生成ステップは、出力先に応じてセパレータで区切られた出力データを生成することを特徴とする請求項４に記載の帳票印刷制御方法。
【請求項７】
印刷装置、および、該印刷装置を管理する上位装置とをネットワーク上に有するためのコンピュータプログラムを格納するコンピュータ可読の記憶媒体であって、
前記上位装置は、フォームデータを記憶するフォームデータ記憶ステップと、
前記フォームデータ記憶ステップで記憶したセパレータに指定されたフォームデータを読み出してフォームオーバレイを行い帳票データを生成する帳票データ生成ステップと、
前記帳票データを記憶する帳票データ記憶ステップと、
前記帳票データを管理する帳票データ管理ステップと、
前記帳票データから出力先に応じてセパレータの処理方法を変更する出力データ生成ステップと、
前記出力データを出力先に送信する出力データ送信ステップを有することを特徴とする記憶媒体。
【請求項８】
前記出力データ生成ステップは、出力先に応じてセパレータの出力データへの出力を制御することを特徴とする請求項７に記載の記憶媒体。
【請求項９】
前記出力データ生成ステップは、出力先に応じてセパレータで区切られた出力データを生成することを特徴とする請求項７に記載の記憶媒体。
【発明の詳細な説明】
【技術分野】
【０００１】
本発明は、フォームデータを用いてフォームオーバーレイ処理をホストPC上で行い、保存した帳票データを、ユーザからの指示によって、プリンタ、ＦＡＸ，メールなどの出力先に、出力することが可能な帳票印刷システム、および、帳票印刷方法に関するものである。
【背景技術】
【０００２】
従来、フォームデータを不揮発性の記憶手段等に蓄積しておき、該フォームデータを用いてフォームオーバーレイ処理を行うプリンタが知られている。また、該フォームデータを用いてフォームオーバーレイ処理をホストPC上で行ったうえで、プリンタに送信する方法も広く採用されている。
【０００３】
さらに、最近では、サーバー上でフォームオーバレイ処理を行った後のデータを、帳票データとして保存しておき、クライアントからの出力要求によって、プリンタやＦＡＸ、電子メールなどに出力できる帳票印刷システムも存在する。このような帳票印刷システムは、フォームオーバレイ処理後の帳票データを保存することによって、大量印刷時のバッチ印刷や、印刷保証が可能となる等の利点を有している。
【０００４】
大量印刷時においては、排紙トレイに印刷物が大量に出力されるため、印刷物と印刷物の区切りとして、セパレータと呼ばれる仕切り用の用紙を挿入することが求められる。プリンタ自身の機能として、セパレータを挿入する機能を持つものも存在するが、そのようなプリンタは高価であるため、ホスト上で出力データにセパレータを挿入してプリンタに送信する印刷システムが一般的である。
【０００５】
帳票印刷システムにおいては、セパレータもフォームとして定義し、セパレータによって区切られた後の印刷物を識別するための情報をデータとして、フォームオーバレイ処理を行うことによって、セパレータを挿入する機能を実現している。
【特許文献１】特開平０７−１２１３１８号公報
【発明の開示】
【発明が解決しようとする課題】
【０００６】
しかしながら、前記既存の帳票印刷システムにおいては、帳票データの出力先が、プリンタやＦＡＸの場合にはセパレータが挿入されて欲しいが、ＰＤＦなどの汎用的なファイル形式で保存する、あるいは、電子メールに添付する場合など、必ずしも、セパレータが出力イメージとして挿入されて欲しいわけではなく、むしろ、セパレータが挿入されている箇所で、ファイルを分割して出力したい。
【課題を解決するための手段】
【０００７】
印刷装置、および、該印刷装置を管理する上位装置とをネットワーク上に有する帳票印刷システムであって、前記上位装置は、フォームデータを記憶するフォームデータ記憶手段と、前記フォームデータ記憶手段からセパレータに指定されたフォームデータを読み出してフォームオーバレイを行い帳票データを生成する帳票データ生成手段と、前記帳票データを記憶する帳票データ記憶手段と、前記帳票データを管理する帳票データ管理手段と、前記帳票データから出力先に応じてセパレータの処理方法を変更する出力データ生成手段と、前記出力データを出力先に送信する出力データ送信手段を備えることを特徴とする。
【発明の効果】
【０００８】
帳票データの出力先が、プリンタやＦＡＸの場合にはセパレータが挿入され、ＰＤＦなどの汎用的なファイル形式で保存する、あるいは、電子メールに添付する場合は、セパレータが出力イメージとして挿入されず、セパレータが挿入されている箇所で分割されたファイルが出力される。
【発明を実施するための最良の形態】
【０００９】
以下、本発明の実施の形態を図面に基づいて説明する。
【００１０】
図１は本発明の実施の形態の帳票印刷システムを適用するネットワークシステムのシステム構成を示すブロック図である。本発明の実施の形態に係るネットワークシステムは、帳票印刷サーバーＰＣ１０１、帳票印刷クライアントＰＣ１０２、プリンタ１０３、メールサーバーＰＣ１０４、ＦＡＸサーバーＰＣ１０５をネットワーク１０６上に備える構成となっている。本例ではプリンタ１０３は、ネットワーク１０６に直接接続されたネットワークプリンタであるが、帳票印刷サーバーＰＣ１０１に接続されたローカルプリンタであってもよい。
上記各部の構成を詳述すると、帳票印刷サーバーＰＣ１０１は、ネットワークケーブルによってネットワーク１０６に接続されており、帳票印刷クライアントＰＣ１０２から印刷要求を受け取り、出力データを生成して、プリンタ１０３、メールサーバーＰＣ１０４、あるいは、ＦＡＸサーバーＰＣ１０５へ送信する。
【００１１】
プリンタ１０３は、ネットワークインターフェースを介してネットワーク１０６に接続されており、帳票印刷サーバーＰＣ１０１から送信される出力データを１ページずつドットイメージに変換して、１ページ毎に印刷する。メールサーバーＰＣ１０４は、ネットワークインターフェースを介してネットワーク１０６に接続されており、帳票印刷サーバーＰＣ１０１から送信される出力データを、指定されたメールアドレスに送信する。ＦＡＸサーバーＰＣ１０５は、ネットワークインターフェースを介してネットワーク１０６に接続されており、帳票印刷サーバーＰＣ１０１から送信される出力データを、指定されたＦＡＸ番号に送信する。ネットワーク１０６は、帳票印刷サーバーＰＣ１０１、帳票印刷クライアントＰＣ１０２、プリンタ１０３、メールサーバーＰＣ１０４、ＦＡＸサーバーＰＣ１０５等と接続している。
【００１２】
図２は本発明の実施の形態に係る帳票印刷サーバーＰＣ１０１の概略構成を示すブロック図である。尚、帳票印刷クライアントＰＣ１０２、メールサーバーＰＣ１０４、ＦＡＸサーバーＰＣ１０５も同じ構成である。本発明の実施の形態に係る帳票印刷サーバーＰＣ１０１は、ＣＰＵ２００、ＲＯＭ２０１、ＲＡＭ２０２、ＦＤ（フロッピー（登録商標）ディスク）ドライブ２０３、ＦＤ２０４、ＨＤ（ハードディスク）２０５、キーボード２０６、ディスプレイ２０７、システムバス２０８を備える構成となっている。
【００１３】
上記各部の構成を詳述すると、ＣＰＵ２００は、ＨＤ２０５に格納されているＯＳ（オペレーティングシステム）や印刷サーバープログラム等を実行し、ＲＡＭ２０２にプログラムの実行に必要な情報を一時的に格納する制御を行う。ＲＯＭ２０１には、基本Ｉ／Ｏプログラム等を記憶する。ＲＡＭ２０２はＣＰＵ２００の主メモリ、ワークエリア等として機能する。ＦＤドライブ２０３は、図３に示すごとく、コンピュータ等に装備されたＦＤドライブ２０３を通じて、ＦＤ２０４に記憶された本印刷クライアントプログラムを含む帳票印刷システムプログラム等を本コンピュータシステムにロードすることができる。
【００１４】
ＦＤ２０４の内容は、ＨＤ２０５などの記憶手段に記憶させておくことができる。ＦＤに記憶されている内容の構成を図４に示す。図４において、４００はＦＤ２０４のデータ内容であり、４０１はデータの構成を示すボリューム情報であり、４０２はディレクトリ情報、４０３は本実施形態で説明する帳票印刷システムプログラムのフローチャートに基づいてプログラムコード化されたものである。４０４はその関連データである。
【００１５】
ＨＤ２０５は、ＯＳ、印刷アプリケーションプログラム、帳票印刷サーバープログラム等を格納している。キーボード２０６は、ユーザが帳票印刷サーバーＰＣ１０１に対して、デバイスの制御コマンドの命令等を入力指示するものである。ディスプレイ２０７は、キーボード２０６から入力したコマンドや、印刷状況等を表示したりするものである。システムバス２０８は、帳票印刷サーバーＰＣ１０１内のデータの流れを司るものである。
【００１６】
本実施形態では、ＦＤ２０４から帳票印刷システムプログラム及び関連データを直接ＲＡＭ２０２にロードして実行させる例を示すが、これ以外にも、ＦＤ２０４から帳票印刷システムプログラムを動作させる度に、ＨＤ２０５からＲＡＭ２０２にロードするようにしてもよい。また、本帳票印刷システムプログラムを記録する媒体は、ＦＤ以外にもＣＤ−ＲＯＭ、ＩＣメモリカード等であってもよい。更に、本帳票印刷システムプログラムをＲＯＭ２０１に記録しておき、これをメモリマップの一部となすように構成し、直接ＣＰＵ２００で実行することも可能である。
【００１７】
図５は本帳票印刷システムプログラムがＲＡＭ２０２にロードされ実行可能となった状態のメモリマップを表すものである。５０１は基本Ｉ／Ｏプログラムであり、本制御装置の電源がＯＮされたときに、ＨＤ２０５からＯＳがＲＡＭ２０２に読み込まれ、ＯＳの動作を開始させるＩＰＬ（イニシャルプログラムローディング）機能等を有しているプログラムが入っている領域である。５０２はＯＳであり、５０３には帳票印刷システムプログラム、５０４には関連データがそれぞれ展開され、５０５にはＣＰＵ２００が本帳票印刷システムプログラムを実行するワークエリアがとられている。
【００１８】
図６は本発明の実施の形態に係るプリンタ１０３の概略構成を示すブロック図である。本発明の実施の形態に係るプリンタは、ＣＰＵ６０１、ＲＯＭ／ＲＡＭ６０２、記憶部６０３、表示部６０４、プリンタ印字部６０５、ネットワークインターフェース６０６、通信回線６０７を備える構成になっている。
【００１９】
上記各部の構成を詳述すると、ＣＰＵ６０１は、装置全体を制御する。ＲＯＭ／ＲＡＭ６０２は、ＣＰＵ６０１を制御する制御プログラムや定数データ、送受信データを一時記憶するバッファを含んでいる。記憶部６０３は、例えばハードディスクのような記憶手段であり、送受信するデータやＣＰＵ６０１で実行する制御プログラム、データを記憶する。表示部６０４は、ＲＯＭ／ＲＡＭ６０２に一時記憶されているデータや、記憶部６０３に記憶されているデータの内容、及び操作状況等を表示する。プリンタ印字部６０５は、ＲＯＭ／ＲＡＭ６０２に記憶されているプログラムに基づいてＣＰＵ６０１で生成したドットデータを印字出力する。ネットワークインターフェース６０６は、該ネットワークインターフェースを介して印刷サーバーPC等の外部装置と印字データ等の通信を行う。通信回線６０７は、ネットワークインターフェース６０６とネットワーク１０６をつなぐものである。
【００２０】
図７は、本発明の帳票印刷システムにおけるクライアントＰＣ１０２およびサーバーＰＣ１０１のソフトウェアモジュール構成を表した図である。
【００２１】
７０１はサーバーＰＣ、７０２はクライアントＰＣのソフトウェアモジュール構成である。７０３は、本帳票印刷システムを利用するアプリケーションプログラムであり、７０４は、本帳票印刷システムが提供するＡＰＩ（アプリケーションプログラムインターフェース）である。アプリケーションプログラム７０３は、帳票印刷システムＡＰＩ７０４を使用して本帳票印刷システムが提供する機能を利用する。７０５は、帳票印刷システムのフォームオーバレイ部であり、アプリケーションプログラム７０３から、帳票印刷システムＡＰＩ７０４を通じて渡されたデータと、ＨＤ（ハードディスク）７０８に保存されたフォームデータとをフォームオーバレイ処理して、帳票データを生成する。７０７は、帳票印刷システムの帳票データ管理部であり、フォームオーバレイ部７０５が生成した帳票データをＨＤ７０８に保存し、管理する。７０９は、帳票印刷システムの出力データ生成部であり、帳票データを出力先に応じた出力データに変換し、出力先がファイルへの保存の場合には、ＨＤ７０８に保存する。７１０は、帳票印刷システムの出力データ送信部であり、ネットワークプリンタ７１１、メールサーバー７１２、あるいは、ＦＡＸサーバー７１３に送信する。７０６は、本帳票印刷システムのクライアント部であり、ユーザからのオペレーションによって、帳票印刷サーバーで管理されている帳票データに対して、出力先を指定した出力要求を行う。７０８は、フォームデータ、オーバレイ処理後の帳票データ、出力先としてファイルへの保存が指示された場合に出力データを保存するＨＤ（ハードディスク）である。また、７１１はネットワークプリンタ、７１２はメールサーバー、７１３はＦＡＸサーバーである。
【００２２】
図８、９は、本発明の帳票印刷システムで、ユーザプログラムから帳票作成要求が行われてから、ユーザのオペレーションによって作成された帳票データが出力先に出力されるまでの一連の処理の流れを示すフローチャートである。
【００２３】
ステップＳ８０１で、ユーザが作成したアプリケーションプログラム７０３は、帳票印刷システムＡＰＩを通じて、帳票印刷システムに対して帳票の作成要求を行う。このとき、アプリケーションプログラム７０３は、ＨＤ７０８に保存されたフォームデータの指定と、フォームオーバレイ処理を行うデータを帳票印刷システムに渡す。
【００２４】
ステップＳ８０２で、帳票印刷システムのフォームオーバレイ部７０５は、アプリケーションプログラム７０３から指定されたフォームデータをＨＤ７０８から読み込む。ステップＳ８０３で、アプリケーションプログラム７０３から渡されたデータと、ＨＤ７０８から読み出したフォームのオーバレイ処理を行い、帳票データを作成する。
【００２５】
ステップＳ８０４で、帳票印刷システムの帳票データ管理部７０７は、ステップＳ８０３で作成された帳票データをＨＤ７０８に保存する。
【００２６】
ステップＳ８０５で、帳票印刷システムのクライアント部７０６が提供するＵＩ（ユーザインターフェース）を通じて、帳票印刷システムで管理・保存されている帳票データに対して、出力要求を行う。
【００２７】
ステップＳ８０６で、帳票印刷システムの帳票データ管理部７０７は、出力を要求された帳票データをＨＤ７０８から読み込み、ステップＳ８０７で、出力先にＦＡＸ、または、プリンタが指定されたかどうかを判断する。ステップＳ８０７で出力先がＦＡＸ、あるいは、プリンタと判断された場合には、ステップＳ８０８で、帳票印刷システムの出力データ生成部７０９が、ステップＳ８０６で読み込んだ帳票データをセパレータも含めて、出力先に対応した出力データに一括変換し、ステップＳ８１２で、帳票印刷システムの出力データ送信部７１０が、出力データを出力先（プリンタ７１１、または、ＦＡＸサーバー７１３）に送信し、終了する。
【００２８】
ステップＳ８０７で、出力先がＦＡＸでも、プリンタでもないと判断された場合は、ステップＳ８０９へ進み、出力先がメールかどうかを判断する。ステップＳ８０９で、出力先がメールと判断された場合には、ステップＳ８１０で、帳票印刷システムの出力データ生成部７０９が、ステップＳ８０６で読み込んだ帳票データを、セパレータを含まない、セパレータの位置で分割された出力データとして生成し、ステップＳ８１２へ進む。ステップＳ８１２で、帳票印刷システムの出力データ送信部７１０が、ステップＳ８１０で分割生成された複数の出力データをメールに添付してメールサーバー７１２に送信し、終了する。
【００２９】
ステップＳ８０９で、出力先がメールと判断されなかった場合には、ステップＳ８１１で、帳票印刷システムの出力データ生成部７０９が、ステップＳ８０６で読み込んだ帳票データを、セパレータを含まない、セパレータの位置で分割された出力データとして生成し、ステップＳ８１３へ進む。ステップＳ８１３で、帳票出力システムの帳票データ管理部７０７が、ステップＳ８１０で分割生成された複数の出力データを保存して、終了する。
【００３０】
図１０は、フォームとして定義されたセパレータの例である。
【００３１】
図１１は、ステップＳ８０３で、セパレータとして定義された仕切り紙フォームと、セパレータでない明細フォームから、帳票データが生成される過程を表すイメージ図である。
【００３２】
図１２は、ステップＳ８０８で、帳票データから出力データがセパレータを含めて一括生成される過程を表すイメージ図である。図１３は、ステップＳ８１０、または、ステップＳ８１１で、帳票データから出力データがセパレータを除いて分割生成される過程を表すイメージ図である。
【００３３】
図１４〜１７は、ステップＳ８０５で、ユーザが帳票の出力要求を行う際に、帳票印刷システムのクライアント部７０６が表示するユーザインターフェースを示す図である。図１４は、出力先にプリンタを指定する場合、図１５は、出力先にＦＡＸを指定する場合、図１６は、出力先にメールサーバーを指定する場合、図１７は、出力先にファイルを指定する場合に表示されるユーザインターフェースを示す図である。
【００３４】
なお、本発明は、上記の実施の形態の機能を実現するソフトウェアのプログラムコードを記憶した記憶媒体(又は記録媒体)を、システム又は装置に供給し、そのシステム又は装置のコンピュータ(又はCPUやMPU)が記憶媒体に格納されたプログラムコードを読み出して実行することによっても達成されることは云うまでもない。
【００３５】
この場合、記憶媒体から読み出されたプログラムコード自体が上記実施の形態の機能を実現することになり、そのプログラムコードを記憶した記憶媒体は本発明を構成することになる。また、コンピュータが読み出したプログラムコードを実行することにより、上記実施の形態の機能が実現されるだけでなく、そのプログラムコードの指示に基づき、コンピュータ上で稼働しているオペレーティングシステム(OS)などが実際の処理の一部又は全部を行い、その処理によって上記実施の形態の機能が実現される場合も含まれることは云うまでもない。
【００３６】
さらに、記憶媒体から読み出されたプログラムコードが、コンピュータに挿入された機能拡張カードやコンピュータに接続された機能拡張ユニットに備わる記憶媒体に書込まれた後、そのプログラムコードの指示に基づき、その機能拡張カードや機能拡張ユニットに備わるCPU等が実際の処理の一部又は全部を行い、その処理によって前述した実施形態の機能が実現される場合も含まれることは云うまでもない。
【００３７】
また、本発明は、上記実施の形態の機能を実現するソフトウェアのプログラムコードがネットワークを介して配信されることにより、システム又は装置のハードディスクやメモリ等の記憶手段又はCD-RW、CD-R等の記憶媒体に格納され、そのシステム又は装置のコンピュータ(又はCPUやMPU)が当該記憶手段や当該記憶媒体に格納されたプログラムコードを読み出して実行することによっても、達成されることは云うまでもない。
【図面の簡単な説明】
【００３８】
【図１】帳票印刷システムを適用するネットワークシステムの構成を示すブロック図である。
【図２】サーバー、および、クライアントコンピュータの概略構成図を示すブロック図である。
【図３】サーバー、または、クライアントコンピュータに対しＦＤからプログラムが供給される概念を示す説明図である。
【図４】サーバー、および、クライアントコンピュータのＦＤ内部のデータを示す説明図である。
【図５】サーバー、および、クライアントコンピュータのＲＡＭにＦＤからプログラムを展開したときのメモリマップを示す説明図である。
【図６】プリンタの概略構成を示すブロック図である。
【図７】クライアントＰＣおよびサーバーＰＣのソフトウェアモジュール構成表した図である。
【図８】帳票印刷システムの処理の流れを示すフローチャートである。
【図９】帳票印刷システムの処理の流れを示すフローチャートである。
【図１０】帳票印刷システムで使用されるフォームとして定義されたセパレータの例を示すフローチャートである。
【図１１】帳票印刷システムにおいて帳票データが生成される過程を表すイメージ図である。
【図１２】帳票印刷システムにおいて出力データが生成される過程を表すイメージ図である。
【図１３】帳票印刷システムにおいて出力データが生成される過程を表すイメージ図である。
【図１４】帳票印刷システムのクライアント部が表示するユーザインターフェースを示す図である。
【図１５】帳票印刷システムのクライアント部が表示するユーザインターフェースを示す図である。
【図１６】帳票印刷システムのクライアント部が表示するユーザインターフェースを示す図である。
【図１７】帳票印刷システムのクライアント部が表示するユーザインターフェースを示す図である。
【符号の説明】
【００３９】
１０２  帳票印刷クライアントＰＣ
１０３  ネットワークプリンタ
１０４  メールサーバーＰＣ
１０５  ＦＡＸサーバーＰＣ
１０６  ネットワーク
２００  ＣＰＵ
２０１  ＲＯＭ
２０２  ＲＡＭ
２０３  ＦＤドライブ
２０４  ＦＤ（フロッピー（登録商標）ディスク）
２０５  ＨＤ（ハードディスク）
４００  ＦＤのメモリマップ
４０１  ボリューム情報
４０２  ディレクトリ情報
４０３  ネットワークプリンタ制御プログラム
４０４  関連データ
５００  ＲＡＭのメモリマップ
５０１  基本Ｉ／Ｏプログラム
５０２  ＯＳ
５０３  ネットワークプリンタ制御プログラム
５０４  関連データ
５０５  ワークエリア
６０１  ＣＰＵ
６０２  ＲＯＭ／ＲＡＭ
６０３  記憶部
６０４  表示部
６０５  プリンタ印字部
６０６  ネットワークボード
６０７  通信回線
７０１  クライアント（コンピュータ）
７０２  サーバー（コンピュータ）
７０３  アプリケーションプログラム
【図１】
2006171971.tif 000003
【図２】
2006171971.tif 000004
【図３】
2006171971.tif 000005
【図４】
2006171971.tif 000006
【図５】
2006171971.tif 000007
【図６】
2006171971.tif 000008
【図７】
2006171971.tif 000009
【図８】
2006171971.tif 000010
【図９】
2006171971.tif 000011
【図１０】
2006171971.tif 000012
【図１１】
2006171971.tif 000013
【図１２】
2006171971.tif 000014
【図１３】
2006171971.tif 000015
【図１４】
2006171971.tif 000016
【図１５】
2006171971.tif 000017
【図１６】
2006171971.tif 000018
【図１７】
2006171971.tif 000019